(57)【要約】      （修正有）【課題】機器からの通知を効率的に包括管理する情報管理装置を提供する。【解決手段】情報管理システム１の情報管理装置ＫＳは、機器２ａ〜２ｎから各種通知情報を取得して管理するとともに、各種通知情報を構成している通知情報を通知する際の条件である通知条件情報を管理する。情報管理装置は、通知装置ＴＳから出力要求を受け付けると、通知情報のうち、受け付けた出力要求に適合する通知情報を、通知条件情報に基づいて抽出して出力する。【選択図】図１
2017126273.tif 000002
【特許請求の範囲】
【請求項１】
機器から取得した各種通知情報を管理する通知情報管理手段と、
前記各種通知情報を構成している通知条件情報を管理する通知条件情報管理手段と、
要求を受け付ける要求受付手段と、
情報を出力する情報出力手段と、
前記通知情報管理手段の管理する前記通知情報のうち、前記要求受付手段が出力要求を受け付けると、受け付けた該出力要求に適合する通知情報を、前記通知条件情報管理手段の管理する前記通知条件情報に基づいて抽出して前記情報出力手段に出力させる通知情報抽出手段と、
を備えていることを特徴とする情報管理装置。
【請求項２】
前記通知条件情報管理手段は、
前記通知情報を解析し、該通知情報を構成している前記通知条件情報を取得して管理することを特徴とする請求項１記載の情報管理装置。
【請求項３】
前記通知情報抽出手段は、
前記出力要求を受け取ると、前記通知情報と前記通知条件情報に基づいて、通知可能な通知情報及び通知条件情報を前記情報出力手段に出力させ、
前記通知条件情報管理手段は、
前記情報出力手段の出力した前記通知情報及び前記通知条件情報に基づく通知条件情報の変更要求を、前記要求受付手段が受け付けると、該通知条件情報を、該変更要求に応じて変更することを特徴とする請求項１または請求項２記載の情報管理装置。
【請求項４】
前記通知条件情報管理手段は、
前記通知条件情報として、前記通知情報の通知形式、通知サブ形式、フォーマット形式、送信先、通知元、通知先、通知許可／通知不許可、通知計画の各情報を管理することを特徴とする請求項１から請求項３のいずれかに記載の情報管理装置。
【請求項５】
前記情報管理装置は、
機器の出力する各種通知情報を取得する通知情報取得手段と、
通知情報を記憶する通知情報記憶手段と、
を、さらに備え、
前記通知情報管理手段は、
前記通知情報取得手段の取得した前記通知情報を、前記通知情報記憶手段に保管して管理することを特徴とする請求項１から請求項４のいずれかに記載の情報管理装置。
【請求項６】
前記情報管理装置は、
機器の出力する各種通知情報を取得する通知情報取得手段と、
通知条件情報を記憶する通知条件情報記憶手段と、
を、さらに備え、
前記通知条件情報管理手段は、
前記通知情報取得手段の取得した前記通知情報を解析して前記通知条件情報を取得し、取得した該通知条件情報を前記通知条件情報記憶手段に保管して管理することを特徴とする請求項１から請求項５のいずれかに記載の情報管理装置。
【請求項７】
各種通知情報を出力する複数の機器と、該機器の出力する該通知情報を管理する情報管理装置が接続されている情報管理システムであって、前記情報管理装置として、請求項１から請求項６のいずれかに記載の情報管理装置を備えていることを特徴とする情報管理システム。
【請求項８】
機器から取得した各種通知情報を管理する通知情報管理処理ステップと、
前記各種通知情報を構成している通知条件情報を管理する通知条件情報管理処理ステップと、
要求を受け付ける要求受付処理ステップと、
情報を出力する情報出力処理ステップと、
前記通知情報管理処理ステップで管理されている前記通知情報のうち、前記要求受付処理ステップで出力要求が受け付けられると、受け付けられた該出力要求に適合する通知情報を、前記通知条件情報管理処理ステップで管理されている前記通知条件情報に基づいて抽出して前記情報出力処理ステップで出力させる通知情報抽出処理ステップと、
を有していることを特徴とする情報管理方法。
【請求項９】
コンピュータに、
機器から取得した各種通知情報を管理する通知情報管理処理と、
前記各種通知情報を構成している通知条件情報を管理する通知条件情報管理処理と、
要求を受け付ける要求受付処理と、
情報を出力する情報出力処理と、
前記通知情報管理処理で管理されている前記通知情報のうち、前記要求受付処理で出力要求が受け付けられると、受け付けられた該出力要求に適合する通知情報を、前記通知条件情報管理処理で管理されている前記通知条件情報に基づいて抽出して前記情報出力処理で出力させる通知情報抽出処理と、
を実行させることを特徴とするプログラム。
【発明の詳細な説明】
【技術分野】
【０００１】
本発明は、情報管理装置、情報管理システム、情報管理方法及びプログラムに関し、詳細には、機器に関する情報の通知を管理する情報管理装置、情報管理システム、情報管理方法及びプログラムに関する。
【背景技術】
【０００２】
ファクシミリ装置、複写装置、複合装置、スキャナ装置、コンピュータ等の各種機器は、その動作結果、動作状態、他の装置に対する処理要求等の各種通知を出力する。
【０００３】
従来、機器の出力する通知の処理については、それぞれ専用の機器管理ソフトを搭載する管理装置が、該機器管理ソフトにより実行している（特許文献１、特許文献２等参照）。
【０００４】
すなわち、従来の通知管理は、専用の機器管理ソフトを搭載する管理装置が、それぞれ個別に行っている。
【発明の概要】
【発明が解決しようとする課題】
【０００５】
しかしながら、上記従来技術にあっては、通知管理を、それぞれ専用の機器管理ソフトを搭載する管理装置が行っているため、通知を包括的に管理することができず、通知の利用性の向上を図る上で、改良の必要があった。
【０００６】
そこで、本発明は、機器からの通知を効率的に包括管理することを目的としている。
【課題を解決するための手段】
【０００７】
上記目的を達成するために、請求項１記載の情報管理装置は、機器から取得した各種通知情報を管理する通知情報管理手段と、前記各種通知情報を構成している通知条件情報を管理する通知条件情報管理手段と、要求を受け付ける要求受付手段と、情報を出力する情報出力手段と、前記通知情報管理手段の管理する前記通知情報のうち、前記要求受付手段が出力要求を受け付けると、受け付けた該出力要求に適合する通知情報を、前記通知条件情報管理手段の管理する前記通知条件情報に基づいて抽出して前記情報出力手段に出力させる通知情報抽出手段と、を備えていることを特徴としている。
【発明の効果】
【０００８】
本発明によれば、機器からの通知を効率的に包括管理することができる。
【図面の簡単な説明】
【０００９】
【図１】本発明の一実施例を適用した情報管理システムの概略構成図。
【図２】情報管理装置のブロック構成図。
【図３】通知情報の一例を示す図。
【図４】通知条件情報の一例を示す図。
【図５】情報管理装置の機能ブロック図。
【図６】受信通知情報管理処理のシーケンス図。
【図７】通知要求に基づく通知情報通知処理のシーケンス図。
【発明を実施するための形態】
【００１０】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１１】
図１〜図７は、本発明の情報管理装置、情報管理システム、情報管理方法及びプログラムの第１実施例を示す図であり、図１は、本発明の情報管理装置、情報管理システム、情報管理方法及びプログラムの一実施例を適用した情報管理システム１の概略構成図である。
【００１２】
図１において、情報管理システム１は、ネットワークＮＷに、情報管理装置ＫＳ、遠隔管理サーバＥＳ及び複数の機器２ａ〜２ｎが接続され、情報管理装置ＫＳには、通知装置ＴＳが接続されている。ネットワークＮＷは、例えば、ＬＡＮ（Local Area Network）、ＷＡＮ（Wide Area Network ）、インターネット等が用いられている。
【００１３】
通知装置ＴＳは、本実施例では、情報管理装置ＫＳに、直接、専用線によって接続されているが、ネットワークＮＷに接続されていてもよい。また、通知装置ＴＳは、専用の通知装置が必ずしも必要ではなく、情報管理装置ＫＳの入力部や出力部を利用したものであってもよい。
【００１４】
機器２ａ〜２ｎは、ＭＦＰ（Multifunction Peripheral：複合装置）、複写装置、ファクシミリ装置、プリンタ装置、コンピュータ等の各種通知情報を出力する機器である。
【００１５】
機器２ａ〜２ｎは、それぞれ機器２ａ〜２ｎとしての基本ハードウェア構成とソフトウェア構成を有しており、機器２ａ〜２ｎとしての機能を実行する。機器２ａ〜２ｎは、例えば、ＭＦＰの場合、コントローラ、スキャナ部、プリンタ部及び操作表示部等を備えており、スキャナ機能、プリンタ機能、コピー機能等の複合機能を実行する。例えば、機器２ａ〜２ｎは、ＭＦＰの場合、コントローラ、スキャナ部、プリンタ部及び操作表示部等を備えており、スキャナ機能、プリンタ機能、コピー機能等の複合機能を実行する。
【００１６】
そして、機器２ａ〜２ｎは、自機の動作状態を監視し、状態情報、例えば、異常動作停止、動作正常完了、消耗品残量等の状態情報の通知情報を、ネットワークＮＷを介して情報管理装置ＫＳに送信する機能を有している。
【００１７】
遠隔管理サーバＥＳは、ネットワークＮＷを介して情報管理装置ＫＳに接続され、機器２ａ〜２ｎや情報管理装置ＫＳの管理を行って、各種通知情報を情報管理装置ＫＳへ行う。
【００１８】
情報管理装置ＫＳは、通常のハードウェア構成及びソフトウェア構成のコンピュータ等が用いられており、さらに、ソフトウェアとして、本発明の情報管理方法を実行するプログラムが搭載されている。情報管理装置ＫＳは、例えば、図２に示すようにブロック構成されており、ＣＰＵ（Central Processing Unit）１１、ＲＯＭ（Read Only Memory）１２、ＲＡＭ（Random Access Memory）１３、不揮発性メモリ１４、入力Ｉ／Ｆ１５、出力Ｉ／Ｆ１６及び通信Ｉ／Ｆ１７等を備えている。上記各部は、バス１８により接続されている。
【００１９】
入力Ｉ／Ｆ１５には、キーボード、マウス、スタイラスペン、タッチパネル等の入力デバイス２１が接続され、入力Ｉ／Ｆ１５は、入力デバイス２１から入力される各種命令等をＣＰＵ１１へ出力する。
【００２０】
出力Ｉ／Ｆ１６には、ディスプレイ、ランプ、スピーカ等の出力デバイス２２が接続され、出力Ｉ／Ｆ１６は、ＣＰＵ１１の制御下で、出力デバイス２２に表示データ、点滅データ、音声データ等の出力データを出力する。
【００２１】
通信Ｉ／Ｆ１７は、上記ネットワークＮＷが接続され、ＣＰＵ１１の制御下で、ＴＣＰ／ＩＰ（Transmission Control Protocol/Internet Protocol）やＳＭＴＰ（Simple Mail Transfer Protocol ）／ＰＯＰ（Post Office Protocol）等のプロトコルの制御を行う。通信Ｉ／Ｆ１７は、ＣＰＵ１１の制御下で、ネットワークＮＷを通して機器２ａ〜２ｎ及び遠隔管理サーバＥＳとの間で通信を行う。特に、通信Ｉ／Ｆ１７は、機器２ａ〜２ｎ及び遠隔管理サーバＥＳから通知情報を受け取り、ＣＰＵ１１へ渡す。
【００２２】
ＲＯＭ１２は、情報管理装置ＫＳとしての基本プログラム、本発明の情報管理方法を実行するプログラム及びシステムデータ等を記憶している。
【００２３】
ＲＡＭ１３は、ＣＰＵ１１のワークメモリとして利用されるとともに、管理データ及びその他のデータ等を記憶する。
【００２４】
ＣＰＵ１１は、ＲＯＭ１２内のプログラムに基づいて、ＲＡＭ１３をワークメモリとして利用して、情報管理装置ＫＳの各部を制御して、情報管理装置ＫＳとしての基本処理を実行する。また、ＣＰＵ１１は、ＲＯＭ１２内の情報管理方法のプログラムに基づいて、本発明の情報管理方法を実行する。
【００２５】
不揮発性メモリ１４は、ＮＶＲＡＭ、ＳＳＤ（Solid State Drive）、ハードディスク等が用いられ、情報管理装置ＫＳの電源がＯＦＦのときにも記憶内容を保持するメモリである。
【００２６】
不揮発性メモリ１４は、通知条件情報記憶領域と通知情報記憶領域等を備えている。不揮発性メモリ１４の通知情報記憶領域は、例えば、機器２ａ〜２ｎに関する機器情報、機器２ａ〜２ｎや遠隔管理サーバＥＳから受信した通知情報を、ＣＰＵ１１の制御下で記憶し、また、読み出される。不揮発性メモリ１４の通知条件情報記憶領域は、通知情報を構成している該通知情報を通知する際の条件である通知条件情報等を、ＣＰＵ１１の制御下で記憶し、また、読み出される。
【００２７】
上記通知情報は、機器２ａ〜２ｎ、遠隔管理サーバＥＳからの通知情報であり、複数の「項目（Item）」に対して、それぞれ「記述（Description）」、「例（Example）」、「要求値（Required）」が示された内容となっている。「項目」としては、「通知形式（Notification Type）」、「通知サブ形式（Notification Sub-Type）」、「フォーマット形式（Format Type）」、「通知元（Origin）」、「送信先（Destination）」の各項目がある。「通知形式（Notification Type）」に対して、「記述」として、「通知をカテゴライズするための最上位階層の名称」が、「例」として、「ファームウェアアップデート」が、「要求値」として、「Yes」が登録されている状態が示されている。また、「サブ形式（Notification Sub-Type）」に対して、「記述」として、「そのカテゴリの下位階層の記述」が、「例」として、「デバイスファームウェアアップデート要求」が、「要求値」として、「No」が登録されている状態が示されている。「フォーマット形式（Format Type）」に対して、「記述」として、「通知が送信される形式の種類」が、「例」として、「ＳＯＡＰメッセージ」、「Emailメッセージ」等が、「要求値」として、「Yes」が登録されている状態が示されている。「通知元（Origin）」に対して、「記述」として、「通知の送信元」が、例として、「機器管理装置」、「ＭＦＰ２」等が、「要求値」として、「Yes」が登録されている状態が示されている。「送信先（Destination）」に対して、「記述」として、「通知の送信元」が、「例」として、「遠隔管理サーバ」、「ＭＦＰ２」等が、「要求値」として、「Yes」が登録されている状態が示されている。
【００２８】
また、上記通知条件情報としては、例えば、図４に示すような情報であり、「通知形式（Notification Type）」、「通知サブ形式（Notification Sub-Type）」、「フォーマット形式（Format Type）」、「通知元（Origin）」、「送信先（Destination）」、「受信相手（Recipients)」、「許可（Permit)（通知許可／不許可）」、「計画（Schedule）（通知計画）」等の各「項目（Item)」に対して、「記述（Description）」、「例（Example）」、「要求値（Required）」及び「初期値（Default）」がそれぞれ登録される。例えば、通知条件情報としては、「通知形式」に対応して、「記述」に、「通知をカテゴライズするための最上位階層の名称」が、「例」に、「ファームウェアアップデート」が、「要求値」に、「Yes」がそれぞれ登録されている状態が示されている。なお、図３及び図４において、「機器管理装置」は、情報管理装置ＫＳを、「遠隔管理サーバ」は、遠隔管理サーバＥＳを、「ＭＦＰ２」は、機器２ａ〜２ｎのうち特定の機器２ａ〜２ｎを、それぞれ示している。また、例に記載の「SOAPメッセージ」は、ＳＯＡＰ（Simple Object Access Protocol）によるメッセージをいう。
【００２９】
情報管理装置ＫＳは、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＵＳＢ（Universal Serial Bus）メモリ、ＳＤ（Secure Digital）カード、ＭＯ（Magneto-Optical Disc）等のコンピュータが読み取り可能な記録媒体に記録されている本発明の情報管理方法を実行するプログラムを読み込んでＲＯＭ１２や不揮発性メモリ１４に導入することで、後述する機器２ａ〜２ｎの出力する通知を効率的に管理して利用性を向上させる情報管理方法を実行する情報管理装置として構築されている。この情報管理方法を実行するプログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００３０】
そして、情報管理装置ＫＳは、上記情報管理方法のプログラムが導入されることで、図５に示すような機能ブロックが構築される。すなわち、情報管理装置ＫＳは、上記プログラムが導入されることで、図５に示すように、通信部３１、管理部３２、通知情報記憶部３３、通知条件情報記憶部３４、入力部３５、抽出部３６及び出力部３７が構築される。
【００３１】
通信部３１は、通信Ｉ／Ｆ１７により構築され、ネットワークＮＷを介して機器２ａ〜２ｎ及び遠隔管理サーバＥＳからの通知情報を取得する。したがって、通信部３１は、機器２ａ〜２ｎの出力する各種通知情報を取得する通知情報取得手段として機能している。
【００３２】
入力部３５は、入力Ｉ／Ｆ１５と入力デバイス２１、または／及び、通信Ｉ／Ｆ１７により構築され、入力デバイス２１または通知装置ＴＳの入力部で入力された通知情報の出力要求等の各種要求を受け付けて、管理部３２に渡す。したがって、入力部３５は、要求受付手段として機能している。
【００３３】
出力部３７は、出力Ｉ／Ｆ１６と出力デバイス２２、または／及び、通信Ｉ／Ｆ１７により構築され、後述する抽出部３６からの通知情報や通知関連情報を、出力デバイス２２または通知装置ＴＳの出力部から出力する。したがって、出力部３７は、情報出力手段として機能している。
【００３４】
管理部３２は、ＣＰＵ１１により構築される。管理部３２は、通信部３１の受信した通知情報を、通知情報記憶部３３に記憶させ、通知情報記憶部３３の通知情報の管理を行う。通知情報記憶部３３は、不揮発性メモリ１４、特に、通知情報記憶領域により構築され、管理部３２の制御下で、通信部３１の受信した各種通知情報を記憶する。したがって、管理部３２は、通知情報管理手段として機能し、通知情報記憶部３３は、通知情報記憶手段として機能している。
【００３５】
また、管理部３２は、通知情報記憶部３３に記憶させた各種通知情報を構成している通知条件情報（通知ルール）を、通知条件情報記憶部３４に保管して管理する。通知条件情報記憶部３４は、不揮発性メモリ１４、特に、通知条件情報記憶領域により構築され、管理部３２の解析した通知条件情報を、管理部３２の制御下で記憶する。したがって、管理部３２は、通知条件情報管理手段として機能し、通知条件情報記憶部３４は、通知条件情報記憶手段として機能している。
【００３６】
さらに、通知条件情報管理手段としての管理部３２は、通信部３１の取得した通知情報を解析して、該通知情報を構成している通知条件情報として取得し、通知条件情報記憶部３４に保存して管理する。
【００３７】
また、通知条件管理手段としての管理部３２は、通知条件情報として、図４に示した通知情報の「通知形式」、「通知サブ形式」、「フォーマット形式」、「送信先」、「通知元」、「通知先」、「通知許可／通知不許可」、「通知計画」の各情報を管理する。
【００３８】
さらに、通知条件情報管理手段としての管理部３２は、通知情報の解析結果の通知条件情報を出力部３７に出力させる。そして、管理部３２は、出力された該通知条件情報に応じて入力部３５が受け付けた追加の通知条件情報を、該通知情報の解析結果に付加して該通知情報の通知条件情報として管理する。
【００３９】
抽出部３６は、通知情報記憶部３３が記憶して管理部３２が管理する通知情報のうち、入力部３５の受け付けた出力要求に適合する通知情報を、通知条件情報記憶部３４の記憶する通知条件情報に基づいて抽出して出力部３７に出力させる。したがって、抽出部３６は、通知情報抽出手段として機能している。
【００４０】
また、抽出部３６は、後述するように、出力要求を受け取ると、管理部３２の管理する通知情報記憶部３３の通知情報と通知条件情報記憶部３４の通知条件情報に基づいて、通知可能な通知情報に関する通知関連情報を出力部３７に出力させる。そして、通知条件情報管理手段としての管理部３２は、出力された該通知関連情報に基づく通知条件情報の変更要求を、入力部３５が受け付けると、該通知条件情報を、該変更要求に応じて変更する。
【００４１】
次に、本実施例の作用を説明する。本実施例の情報管理システム１は、その情報管理装置ＫＳが、機器２ａ〜２ｎからの通知を効率的に包括管理する。
【００４２】
情報管理システム１は、情報管理装置ＫＳが、ネットワークＮＷにより複数の機器２ａ〜２ｎと遠隔管理サーバＥＳに接続され、通知情報を受取る。また、情報管理装置ＫＳは、入力デバイス２１と出力デバイス２２を備え、また、通知装置ＴＳに接続されていて、入力デバイス２１または通知装置ＴＳからの通知情報出力要求を受け付けて、適宜の通知情報を出力デバイス２２または通知装置ＴＳへ出力する。
【００４３】
そして、情報管理装置ＫＳは、図６に受信通知情報管理処理シーケンスとして示すように、機器２ａ〜２ｎまたは遠隔管理サーバＥＳから送られてくる通知情報を管理する。すなわち、機器２ａ〜２ｎや遠隔管理サーバＥＳから通知情報が送信されてくると（Ｓ１）、通信部３１が、該通知情報を受け取って、解析対象として、該通知情報のコピーを、通知条件情報管理手段としての管理部３２へ渡す（Ｓ２）。また、通信部３１は、通知情報管理手段としての管理部３２へ、通知情報を渡す（Ｓ３）。
【００４４】
通知条件情報管理手段としての管理部３２は、受け取った通知情報を解析して、通知情報の利用可能な形式（通知条件）を取得し（Ｓ４）、通知条件である形式が、通知（Notification）であるかチェックする（Ｓ５）。
【００４５】
通知条件情報管理手段としての管理部３２は、通知情報の形式（通知条件）が、通知でないときには、利用できない通知条件であるとして、その通知情報を破棄して処理を終了する。
【００４６】
通知条件情報管理手段としての管理部３２は、通知情報の形式（通知条件）が、通知であると、通知情報から通知条件として、「Notification Type」、「Notification Sub-Type」、「Format Type」、「Origin」、「Destination」を取得する。管理部３２は、取得した通知条件を、通知条件情報記憶部３４に、図４に示した通知条件情報として保管する（Ｓ６）。
【００４７】
通知情報管理手段としての管理部３２は、通知情報を通信部３１へ渡して送信先への送信要求を行い（Ｓ７）、通信部３１は、解析対象の通知情報のコピーを通知条件情報管理手段としての管理部３２へ返信する（Ｓ８）。通信部３１は、送信要求のあった通知情報を送信先の機器２ａ〜２ｎや遠隔管理サーバＥＳへ送信する（Ｓ９）。
【００４８】
通知条件情報管理手段としての管理部３２は、受け取った通知情報を解析して、通知情報の利用可能な形式（通知条件）を取得し（Ｓ１０）、通知条件である形式が、通知（Notification）であるかチェックする（Ｓ１１）。
【００４９】
通知条件情報管理手段としての管理部３２は、通知情報の形式（通知条件）が、通知でないときには、利用できない通知条件であるとして、その通知情報を破棄して処理を終了する。
【００５０】
通知条件情報管理手段としての管理部３２は、通知情報の形式（通知条件）が、通知であると、通知情報から通知条件として、「Notification Type」、「Notification Sub-Type」、「Format Type」、「Origin」、「Destination」を取得する。管理部３２は、取得した通知条件を、通知条件情報記憶部３４に、図４に示した通知条件情報として保存する（Ｓ１２）。
【００５１】
情報管理装置ＫＳは、上記処理を機器２ａ〜２ｎ、遠隔管理サーバＥＳから送られてくる毎に実行して、通知情報の送信先への送信と、通知条件情報の取得・保存管理を行う。
【００５２】
そして、情報管理システム１は、通知装置ＴＳから情報管理装置ＫＳに、通知情報の出力要求があると、図７に通知要求に基づく通知情報管理処理シーケンスとして示すように通知情報の通知処理及び通知情報管理処理を行う。なお、図７の説明では、通知装置ＴＳから通知要求が発行される場合について説明するが、通知要求は、通知装置ＴＳから発行される場合に限るものではなく、例えば、入力部３５の入力デバイス２１から発行されてもよい。また、図７の説明では、通知情報の出力先が、通知装置ＴＳである場合について示しているが、通知情報の出力先は、出力部３７の出力デバイス２２等であってもよい。
【００５３】
いま、利用者が通知装置ＴＳの表示部に表示される操作指示に基づいて、通知情報出力要求捜査を行うと、通知装置ＴＳは、通知情報出力要求を情報管理装置ＫＳへ送信する（Ｓ１）。
【００５４】
情報管理装置ＫＳは、入力部３５が通知装置ＴＳからの通知情報出力要求を受け取ると、入力部３５が、抽出部３６へ該通知情報出力要求を渡す（Ｓ２）。
【００５５】
抽出部３６は、通知情報出力要求を受け取ると、通知情報記憶部３３の通知情報と通知条件情報記憶部３４の通知条件情報について、通知条件情報に基づいて、通知可能な全ての情報を抽出して準備する（Ｓ３）。抽出部３６は、準備した通知情報及び通知条件情報を出力部３７へ渡して、通知装置ＴＳへの送信依頼を行う（Ｓ４）。
【００５６】
出力部３７は、通知情報及び通知条件情報を、通知装置ＴＳで表示可能なデータ形式にして通知装置ＴＳへ送信し、通知装置ＴＳが、該通知情報及び通知条件情報を、図５に示すように、ディスプレイ等に表示出力する（Ｓ５）。なお、図５では、通知装置ＴＳのディスプレイに、通知情報及び通知条件情報からなる通知関連情報が、変更可能に表示されている状態が示されている。
【００５７】
したがって、情報管理装置ＫＳは、機器２ａ〜２ｎからの通知を効率的に包括管理することができる。
【００５８】
利用者が、通知装置ＴＳに表示される情報を見て、該情報に関して変更操作を行うと、通知装置ＴＳは、該変更に係る情報を通知関連情報変更要求として、情報管理装置ＫＳの入力部３５へ送信する（Ｓ６）。なお、通知装置ＴＳにおける情報に対する変更操作は、通知条件情報に対してだけでなく、直接、通知情報に対しても行うことができる。そして、通知関連情報変更要求は、変更操作された通知情報または／及び通知条件情報に対する変更内容の変更処理を要求するものである。例えば、変更操作で、許可（Permit)の項目を、ＯＦＦ（不許可）に変更する操作が行われると、通知関連情報変更要求は、許可（Permit)の項目を、ＯＦＦ（不許可）に変更する要求となる。
【００５９】
入力部３５は、受信した通知関連情報変更要求を管理部３２へ渡し（Ｓ７）、管理部３２は、通知関連情報変更要求の内容を解釈して、通知情報記憶部３３の通知情報と通知条件情報記憶部３４の通知条件情報のうち、要求されている変更を実行する（Ｓ８）。
【００６０】
したがって、通知情報、通知条件情報を変更可能とすることで、利用者の意図する通知情報を、利用者の意図する通知条件で通知することができる。その結果、機器２ａ〜２ｎからの通知をより一層効率的に包括管理することができる。
【００６１】
このように、本実施例の情報管理システム１は、その情報管理装置ＫＳが、機器２ａ〜２ｎから取得した各種通知情報を管理する管理部（通知情報管理手段）３２と、前記各種通知情報を構成している通知条件情報を管理する通知部（通知条件情報管理手段）３２と、要求を受け付ける入力部（要求受付手段）３５と、情報を出力する出力部（情報出力手段）３７と、前記通知情報管理手段としての管理部３２の管理する前記通知情報のうち、前記入力部３５が出力要求を受け付けると、受け付けた該出力要求に適合する通知情報を、前記通知条件情報管理手段としての管理部３２の管理する前記通知条件情報に基づいて抽出して前記出力部３７に出力させる抽出部（通知情報抽出手段）３６と、を備えている。
【００６２】
したがって、機器２ａ〜２ｎからの通知情報を、一括して管理して出力要求に応じた通知情報を出力することができ、機器２ａ〜２ｎからの通知を効率的に包括管理することができる。
【００６３】
また、本実施例の情報管理システム１は、その情報管理装置ＫＳが、機器２ａ〜２ｎから取得した各種通知情報を管理する通知情報管理処理ステップと、前記各種通知情報を構成している通知条件情報を管理する通知条件情報管理処理ステップと、要求を受け付ける要求受付処理ステップと、情報を出力する情報出力処理ステップと、前記通知情報管理処理ステップで管理されている前記通知情報のうち、前記要求受付処理ステップで出力要求が受け付けられると、受け付けられた該出力要求に適合する通知情報を、前記通知条件情報管理処理ステップで管理されている前記通知条件情報に基づいて抽出して前記情報出力処理ステップで出力させる通知情報抽出処理ステップと、を有する情報管理方法を実行する。
【００６４】
したがって、機器２ａ〜２ｎからの通知情報を、一括して管理して出力要求に応じた通知情報を出力することができ、機器２ａ〜２ｎからの通知を効率的に包括管理することができる。
【００６５】
さらに、本実施例の情報管理システム１は、その情報管理装置ＫＳが、ＣＰＵ１１等のコンピュータに、機器２ａ〜２ｎから取得した各種通知情報を管理する通知情報管理処理と、前記各種通知情報を構成している通知条件情報を管理する通知条件情報管理処理と、要求を受け付ける要求受付処理と、情報を出力する情報出力処理と、前記通知情報管理処理で管理されている前記通知情報のうち、前記要求受付処理で出力要求が受け付けられると、受け付けられた該出力要求に適合する通知情報を、前記通知条件情報管理処理で管理されている前記通知条件情報に基づいて抽出して前記情報出力処理で出力させる通知情報抽出処理と、を実行させるプログラムを搭載している。
【００６６】
したがって、機器２ａ〜２ｎからの通知情報を、一括して管理して出力要求に応じた通知情報を出力することができ、機器２ａ〜２ｎからの通知を効率的に包括管理することができる。
【００６７】
また、本実施例の情報管理システム１の情報管理装置ＫＳは、前記通知条件情報管理手段としての管理部３２が、前記通知情報を解析し、該通知情報を構成している前記通知条件情報を取得して管理する。
【００６８】
したがって、通知条件情報を、通知情報の構成から取得して、管理し、通知情報の通知を管理することができる。その結果、機器２ａ〜２ｎからの通知をより一層効率的にかつ適切に包括管理することができる。
【００６９】
さらに、本実施例の情報管理システム１の情報管理装置ＫＳは、前記抽出部３６が、前記出力要求を受け取ると、前記通知情報と前記通知条件情報に基づいて、通知可能な通知情報及び通知条件情報を前記出力部３７に出力させ、前記通知条件情報管理手段としての管理部３２が、前記出力部３７の出力した前記通知情報及び前記通知条件情報に基づく通知条件情報の変更要求を、前記要求受付手段が受け付けると、該通知条件情報を、該変更要求に応じて変更する。
【００７０】
したがって、利用者が意図する通知条件情報を管理して、通知情報を利用者外とする状態で通知することができ、機器２ａ〜２ｎからの通知を効率的にかつより一層適切に包括管理することができる。
【００７１】
また、本実施例の情報管理システム１の情報管理装置ＫＳは、前記通知条件情報管理手段としての管理部３２が、前記通知条件情報として、前記通知情報の通知形式、通知サブ形式、フォーマット形式、送信先、通知元、通知先、通知許可／通知不許可、通知計画の各情報を管理する。
【００７２】
したがって、通知情報を利用者の意図に応じて適切に通知するのに必要な通知条件情報を管理することができ、機器２ａ〜２ｎからの通知を効率的にかつより一層適切に包括管理することができる。
【００７３】
さらに、本実施例の情報管理システム１は、その情報管理装置ＫＳが、機器２ａ〜２ｎの出力する各種通知情報を取得する入力部（通知情報取得手段）３５と、通知情報を記憶する通知情報記憶部（通知情報記憶手段）３３と、を、さらに備え、前記通知情報管理手段としての管理部３２が、前記入力部３５の取得した前記通知情報を、前記通知情報記憶部３３に保管して管理する。
【００７４】
したがって、機器２ａ〜２ｎから通知情報を取得して管理して、該通知情報を効率的に包括管理することができる。
【００７５】
また、本実施例の情報管理システム１は、その情報管理装置ＫＳが、機器２ａ〜２ｎの出力する各種通知情報を取得する入力部（通知情報取得手段）３５と、通知条件情報を記憶する通知条件情報記憶部（通知条件情報記憶手段）３４と、を、さらに備え、前記通知条件情報管理手段としての管理部３２は、前記入力部３５の取得した前記通知情報を解析して前記通知条件情報を取得し、取得した該通知条件情報を前記通知条件情報記憶部３４に保管して管理する。
【００７６】
したがって、機器２ａ〜２ｎから通知情報を取得して解析して通知条件情報を取得し、取得した通知条件情報に基づいて、通知情報を効率的に包括管理することができる。
【００７７】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００７８】
１  情報管理システム
ＮＷ  ネットワーク
ＫＳ  情報管理装置
ＥＳ  遠隔管理サーバ
２ａ〜２ｎ  機器
ＴＳ  通知装置
１１  ＣＰＵ
１２  ＲＯＭ
１３  ＲＡＭ
１４  不揮発性メモリ
１５  入力Ｉ／Ｆ
１６  出力Ｉ／Ｆ
１７  通信Ｉ／Ｆ
１８  バス
２１  入力デバイス
２２  出力デバイス
３１  通信部
３２  管理部
３３  通知情報記憶部
３４  通知条件情報記憶部
３５  入力部
３６  抽出部
３７  出力部
【先行技術文献】
【特許文献】
【００７９】
【特許文献１】特開２００９−０５３８４０号公報
【特許文献２】WO０６０７５５１２号公報
【図１】
2017126273.tif 000003
【図２】
2017126273.tif 000004
【図３】
2017126273.tif 000005
【図４】
2017126273.tif 000006
【図５】
2017126273.tif 000007
【図６】
2017126273.tif 000008
【図７】
2017126273.tif 000009